(57)【要約】  回転負荷に適用したＥＭＣ試験システム及びその試験方法は、電磁両立性試験の分野に関する。シールドルーム１０と、回転負荷１１と、第１接続シャフト１２と、コンプレッサー１３と、流体パイプラインと、流体モーター１５と、第２接続シャフト１６と、モーター負荷１７とを備え、回転負荷１１、第１接続シャフト１２、及びコンプレッサー１３は、シールドルーム１０の内側に配置され、流体モーター１５、第２接続シャフト１６、及びモーター負荷１７は、シールドルーム１０の外側に配置され、回転負荷１１は、第１接続シャフト１２を介してコンプレッサー１３に接続され、コンプレッサー１３は、流体パイプラインを介して流体モーター１５に接続され、流体モーター１５は、第２接続シャフト１６を介してモーター負荷１７に接続され、流体パイプラインはシールドルーム１０を通り抜ける。コンプレッサー１３により流体手段を介してエネルギーをルームの外に伝達し、それを電気エネルギーに変換すると、電磁負荷に起因するＥＭＣ干渉の問題を回避するだけでなく、機械的伝達中の非金属接続シャフトの高価格の問題も回避し、高試験精度で低コストの試験システムになる。
2021517648.tif 000002
【特許請求の範囲】
【請求項１】
シールドルームと、回転負荷と、第１接続シャフトと、コンプレッサーと、流体パイプラインと、流体モーターと、第２接続シャフトと、モーター負荷とを備え、前記回転負荷、前記第１接続シャフト、及び前記コンプレッサーは、前記シールドルームの内側に配置され、前記流体モーター、前記第２接続シャフト、及び前記モーター負荷は、前記シールドルームの外側に配置され、前記回転負荷は、前記第１接続シャフトを介して前記コンプレッサーに接続され、前記コンプレッサーは、前記流体パイプラインを介して前記流体モーターに接続され、前記流体モーターは、前記第２接続シャフトを介して前記モーター負荷に接続され、前記流体パイプラインは前記シールドルームを通り抜けることを特徴とする回転負荷に適用したＥＭＣ試験システム。
【請求項２】
前記流体パイプラインは、磁気を伝導しない材料で作られていることを特徴とする請求項１に記載の回転負荷に適用したＥＭＣ試験システム。
【請求項３】
前記流体パイプラインは、プラスチックパイプライン、ゴムパイプライン、又はナイロンパイプラインを使用できることを特徴とする請求項２に記載の回転負荷に適用したＥＭＣ試験システム。
【請求項４】
前記流体パイプラインは、循環パイプラインに配置され、前記流体パイプラインは、出力パイプラインと入力パイプラインを含み、前記出力パイプライン及び前記入力パイプラインはそれぞれ前記シールドルームを通り抜け、前記出力パイプライン及び前記入力パイプラインは前記コンプレッサーと前記流体モーターとの間にそれぞれ接続されることを特徴とする請求項３に記載の回転負荷に適用したＥＭＣ試験システム。
【請求項５】
前記ＥＭＣ試験システムは、前記シールドルームの外側に、前記モーター負荷と接続される消費負荷をさらに備えることを特徴とする請求項１に記載の回転負荷に適用したＥＭＣ試験システム。
【請求項６】
前記流体パイプラインは、ガスを輸送するためのものであり、前記流体モーターは、空気圧モーターであることを特徴とする請求項１乃至５のいずれか一項に記載の回転負荷に適用したＥＭＣ試験システム。
【請求項７】
前記流体パイプラインは、液体を輸送するためのものであり、前記流体モーターは、油圧モーターであることを特徴とする請求項１乃至５のいずれか一項に記載の回転負荷に適用したＥＭＣ試験システム。
【請求項８】
回転負荷に適用したＥＭＣ試験システムの試験方法であって、前記ＥＭＣ試験システムは、請求項１乃至７のいずれか一項に記載のＥＭＣ試験システムを採用し、前記試験方法は、前記回転負荷が回転し、前記第１接続シャフトによって前記コンプレッサーを回転するように駆動することと、前記コンプレッサーが流体に正圧を生成させ、流体パイプラインによる輸送によって前記流体が前記シールドルームの内側から前記シールドルームの外側へ流れ、前記流体が流体モーターに入力されて、前記流体モーターを回転するように駆動することと、前記流体モーターが前記第２接続シャフトを介して前記モーター負荷を回転するように駆動することと、を含むことを特徴とする回転負荷に適用したＥＭＣ試験システムの試験方法。
【発明の詳細な説明】
【技術分野】
【０００１】
本発明は、電磁両立性試験の分野に関し、特に、回転負荷に適用したＥＭＣ試験システム及びその試験方法に関する。本出願は、出願日が２０１８年４月１７日、特許出願番号がＣＮ２０１８１０３４１１１０．２である中国特許出願に基づき、当該特許出願の内容を参照により本願に援用する。
【背景技術】
【０００２】
現在、世界中のＥＭＣ試験では、シールドが必要な暗室又はシールド時、モーター等の回転負荷を試験する場合、機械的負荷が必要である。試験対象機器のＥＭＣレベルを正しく試験するために、加えられる負荷は放射及び伝導干渉を発生してはいけない。
【０００３】
現在、一般的に使用される方法の１つは、電磁波を伝導しないセラミックシャフトのような機械的シャフトを使用し、モーター負荷のトルクはＥＭＣシールドルームを介して発電機セット等の電子負荷装置に接続される。この方法は簡単であるが、機械的コストや、シールドルームの建設コストが非常に高く、通常の企業では手が届かない。
【０００４】
別の一般的に使用される方法は、一体型の機械負荷装置を使用し、外部はシールドシェルであり、当該シールド装置がＥＭＣ試験の環境ノイズ要件を確実に満たすようにする。この方法は前述した方法よりもコストが低くなるが、試験実装過程がより複雑であり、実装が不適切であると、リークを引き起こして、試験結果が信頼できなくなり、試験手直しにより試験効率が低下するという問題が発生する可能性がある。
【発明の概要】
【発明が解決しようとする課題】
【０００５】
本発明の第１目的は、試験精度が高く、コストが低い回転負荷に適用したＥＭＣ試験システムを提供することである。
【０００６】
本発明の第２目的は、試験精度が高く、コストが低い回転負荷に適用したＥＭＣ試験システムの試験方法を提供することである。
【課題を解決するための手段】
【０００７】
本発明の第１目的を達成するために、本発明が提供する回転負荷に適用したＥＭＣ試験システムは、シールドルームと、回転負荷と、第１接続シャフトと、コンプレッサーと、流体パイプラインと、流体モーターと、第２接続シャフトと、モーター負荷とを備え、回転負荷、第１接続シャフト、及びコンプレッサーは、シールドルームの内側に配置され、流体モーター、第２接続シャフト、及びモーター負荷は、シールドルームの外側に配置され、回転負荷は、第１接続シャフトを介してコンプレッサーに接続され、コンプレッサーは、流体パイプラインを介して流体モーターに接続され、流体モーターは、第２接続シャフトを介してモーター負荷に接続され、流体パイプラインはシールドルームを通り抜ける。
【０００８】
より好ましくは、流体パイプラインは、磁気を伝導しない材料で作られている。
【０００９】
より好ましくは、流体パイプラインは、プラスチックパイプライン、ゴムパイプライン、又はナイロンパイプラインを使用してもよい。
【００１０】
より好ましくは、流体パイプラインは、循環パイプラインに配置され、流体パイプラインは、出力パイプラインと入力パイプラインを含み、出力パイプライン及び入力パイプラインはそれぞれシールドルームを通り抜け、出力パイプライン及び入力パイプラインはコンプレッサーと流体モーターとの間にそれぞれ接続される。
【００１１】
より好ましくは、ＥＭＣ試験システムは、シールドルームの外側に、モーター負荷に接続される消費負荷をさらに備える。
【００１２】
より好ましくは、流体パイプラインは、ガスを輸送するためのものであり、流体モーターは、空気圧モーターである。
【００１３】
より好ましくは、流体パイプラインは、液体を輸送するためのものであり、流体モーターは、油圧モーターである。
【００１４】
本発明の第２目的を達成するために、本発明が提供する上記した回転負荷に適用したＥＭＣ試験システムの試験方法において、
回転負荷が回転し、第１接続シャフトによってコンプレッサーを回転するように駆動することと、
コンプレッサーが流体に正圧を生成させ、流体パイプラインによる輸送によって流体がシールドルームの内側からシールドルームの外側へ流れ、流体が流体モーターに入力されて、流体モーターを回転するように駆動することと、
流体モーターが第２接続シャフトを介してモーター負荷を回転するように駆動することと、を含む。
【発明の効果】
【００１５】
本発明が提供するＥＭＣ試験システム及びその試験方法では、ＥＭＣ暗室、即ちシールドルームに配置された回転負荷が接続シャフトを介してコンプレッサーに接続されて、コンプレッサーを駆動し、シールドトンネルを通過して流体パイプラインを介してルームの外に接続され、ルームの外で流体モーターに接続され、モーター負荷を回転するように駆動する。このように、機械的エネルギーがコンプレッサー及び流体パイプラインを介してルームの外に伝達され、コンプレッサーにより、流体手段を介してエネルギーをルームの外に巧妙に伝達し、それを電気エネルギーに変換すると、電磁負荷に起因するＥＭＣ干渉の問題を回避するだけでなく、機械的伝達中の非金属接続シャフトの高価格の問題も回避し、高試験精度で低コストの試験システムになる。
【００１６】
また、流体パイプラインが磁気を伝導しない材料で作られることで、試験精度を向上することができる。
【００１７】
さらに、消費負荷を別途に追加配置してエネルギー消費を増やすことができるため、この技術案の試験アプリケーションを増やすことができる。
【００１８】
また、本発明の目的は、流体がガス又は液体のいずれかであっても実現でき、ガス又は液体はいずれも磁気を伝導しない媒体であり、ＥＭＣ試験の環境ノイズ要件を確実に満たすようにする。
【図面の簡単な説明】
【００１９】
【図１】本発明のＥＭＣ試験システムのシステム模式図である。
【発明を実施するための形態】
【００２０】
以下、本発明について、図面及び実施例を参照しながらさらに説明する。
【００２１】
図１を参照すると、本発明のＥＭＣ試験システムは、回転負荷１１に適用可能であり、回転負荷１１は、モーター又は発電機であってもよく、回転型の負荷であれば本発明に適用することができる。ＥＭＣ試験システムは、シールドルーム１０と、回転負荷１１と、第１接続シャフト１２と、コンプレッサー１３と、流体パイプラインと、流体モーター１５と、第２接続シャフト１６と、モーター負荷１７と、消費負荷１８とを備える。シールドルーム１０は、ＥＭＣ暗室とすることもでき、回転負荷１１、第１接続シャフト１２、及びコンプレッサー１３はシールドルーム１０の内側に配置され、回転負荷１１は第１接続シャフト１２を介してコンプレッサー１３に接続される。第１接続シャフト１２は通常の伝達機構を採用すればよく、伝達に特別な材料を必要とせず、回転負荷１１による回転と接続シャフトの伝達により、コンプレッサー１３が駆動されて作動する。
【００２２】
流体モーター１５、第２接続シャフト１６、及びモーター負荷１７は、シールドルーム１０の外側に配置され、コンプレッサー１３は流体パイプラインを介して流体モーター１５に接続され、流体パイプラインは磁気を伝導しない材料で作られ、流体パイプラインはプラスチックパイプライン、ゴムパイプライン、又はナイロンパイプラインを使用することができる。流体パイプラインは、循環パイプラインに配置され、流体パイプラインは出力パイプライン１４１と入力パイプライン１４２を含み、出力パイプライン１４１及び入力パイプライン１４２はそれぞれシールドトンネルを通過してシールドルーム１０の外側に接続され、出力パイプライン１４１及び入力パイプライン１４２は、コンプレッサー１３と流体モーター１５との間にそれぞれ接続される。コンプレッサー１３の作動時、流体に正圧を提供し、出力パイプライン１４１を通して出力する。次に、流体は流体モーター１５を作動させ、流体は入力パイプライン１４２から回収され得る。
【００２３】
流体パイプラインはガスの輸送に使用でき、流体モーター１５は空気圧モーターであり、本発明の技術案はガスの伝達により実現できる。また、流体パイプラインは液体の輸送に使用でき、流体モーター１５は油圧モーターであり、本発明の技術案も液体の伝達によって実現でき、液体の技術案には水圧駆動又は油圧駆動等が含まれている。
【００２４】
ルームの外の流体モーター１５は、第２接続シャフト１６を介してモーター負荷１７に接続され、消費負荷１８はモーター負荷１７に接続されることにより、エネルギー消費が実現される。エネルギー消費の観点では、モーター負荷１７のみを単独で使用できる。即ち、モーター負荷１７は、磁性粉末ブレーキ等の機械的負荷であってもよく、モーターであってもよい。モーターが抵抗負荷を駆動するか、又はアクティブインバータを介して送電網に接続されたフィードバックされ得るグリーン負荷を駆動する。
【００２５】
本発明のＥＭＣ試験システムの試験時、その試験方法は、
回転負荷１１が回転し、第１接続シャフト１２によってコンプレッサー１３を回転するように駆動することと、
コンプレッサー１３が流体に正圧を生成させ、流体パイプラインによる輸送によって流体がシールドルーム１０の内側からシールドルーム１０の外側へ流れ、流体が流体モーター１５に入力されて、流体モーター１５を回転するように駆動することと、
流体モーター１５が第２接続シャフト１６を介してモーター負荷１７を回転するように駆動することと、
モーター負荷１７が消費負荷１８を回転するように駆動してエネルギー消費を実現できることと、
シールドルーム１０の内側に位置する試験機器が関連するＥＭＣデータの取得と試験を実行できることと、を含む。
【産業上の利用可能性】
【００２６】
本発明のＥＭＣ試験システム及びその試験方法は、電磁両立性試験の分野に適用し、コンプレッサーにより、流体手段を介してエネルギーをルームの外に巧妙に伝達し、それを電気エネルギーに変換すると、電磁負荷に起因するＥＭＣ干渉の問題を回避する。よって、本発明の試験システムは、試験精度が高いだけでなく、コストも低く抑えられる。
【図１】
2021517648.tif 000003
【国際調査報告】
2021517648.tif 000004
2021517648.tif 000005
2021517648.tif 000006
2021517648.tif 000007